(57)【要約】  【課題】  一の番組の録画及び視聴中に他の番組を視聴した場合であっても、切替時のフレーム画から一の映像を再生することができる記録再生装置を提供する。  【解決手段】  映像を取得する第１及び第２デジタルチューナ１ａ，１ｂと、第１及び第２デジタルチューナ１ａ，１ｂが取得した映像を記録及び再生する記録再生部１４と、記録再生部１４が再生した映像又は第１又は第２デジタルチューナ１ａ，１ｂが取得した映像の信号を出力するビデオ信号出力部７ａとを備える記録再生装置に、出力する映像の切り替えを受け付ける受付手段を備え、一の映像の記録及び出力中に、一の映像から放送中の他の映像への切り替えを受け付けたときに記録したフレーム画を特定するチャプターマークに係る情報を記録再生部１４に記録させ、一の映像への切り替えを受け付けたとき、チャプターマークで特定されるフレーム画から前記一の映像を記録再生部に再生させる制御部９を備える。【選択図】        図１
2007074157.tif 000002
【特許請求の範囲】
【請求項１】
時系列のフレーム画からなる複数の映像を並行して取得する取得手段と、該取得手段が取得した映像を記録する記録手段と、該記録手段が記録した映像を再生する再生手段と、該再生手段が再生している映像又は前記取得手段が取得している映像を出力する出力手段と、出力する映像の指定を受け付ける受付手段とを備える記録再生装置において、
前記記録手段が一の映像を記録していて、前記出力手段が前記一の映像を出力している場合、前記取得手段が取得している他の映像の指定を前記受付手段が受け付けた時に記録した映像のフレーム画を特定する特定情報を記録する手段を備え、
前記再生手段は、
前記受付手段が前記一の映像の指定を受け付けた場合、記録された前記特定情報で特定されるフレーム画から前記一の映像を再生する手段を備える
ことを特徴とする記録再生装置。
【請求項２】
時系列のフレーム画からなる映像を取得する取得手段と、該取得手段が取得した映像を記録する記録手段と、該記録手段が記録した映像を再生する再生手段と、該再生手段が再生している映像又は前記取得手段が取得している映像のいずれかを出力する出力手段と、出力する映像の指定を受け付ける受付手段とを備える記録再生装置において、
前記再生手段が再生している映像を前記出力手段が出力している場合、前記受付手段が、前記取得手段が取得している映像の指定を受け付けた時に前記再生手段の再生対象となったフレーム画を特定する特定情報を記録する手段を備え、
前記再生手段は、
前記再生手段が再生した映像の指定を前記受付手段が受け付けた場合、記録された前記特定情報で特定されるフレーム画から映像を再生する手段を備える
ことを特徴とする記録再生装置。
【請求項３】
時系列のフレーム画からなる複数の映像を並行して取得する取得手段と、該取得手段が取得した一の映像を記録する記録手段と、該記録手段による前記一の映像の記録に並行して、記録済みの前記一の映像を再生する再生手段と、該再生手段が再生している前記一の映像又は前記取得手段が取得している他の映像を出力する出力手段と、出力する映像の指定を受け付ける受付手段と、時刻を計時する計時手段とを備える記録再生装置において、
前記記録手段が前記一の映像の記録を開始した時に前記計時手段が計時した時刻と、前記再生手段が前記記録手段による記録に並行して前記一の映像の再生を開始した時に前記計時手段が計時した時刻との時間差を算出する算出手段と、
前記再生手段が前記一の映像を再生していて、前記出力手段が前記一の映像を出力している場合、前記受付手段が前記他の映像の指定を受け付けた時に前記計時手段が計時した時刻より、前記算出手段が算出した時間差前の時刻に記録したフレーム画を特定する特定情報を記録する手段と
を備え、
前記再生手段は、
前記受付手段が前記一の映像の指定を受け付けた場合、記録された前記特定情報で特定されるフレーム画から前記一の映像を再生する手段を備える
ことを特徴とする記録再生装置。
【請求項４】
前記取得手段は、
複数のチューナを備える
ことを特徴とする請求項１乃至請求項３のいずれか一つに記載の記録再生装置。
【請求項５】
前記特定情報で特定されるフレーム画から映像を再生する場合、該フレーム画から映像を再生する旨を表示する手段を備える
ことを特徴とする請求項１乃至請求項４のいずれか一つに記載の記録再生装置。
【発明の詳細な説明】
【技術分野】
【０００１】
本発明は、再生を開始する映像のフレーム画を特定する特定情報、例えばチャプターマークを記録する記録再生装置に関する。
【背景技術】
【０００２】
２つのチューナを搭載していて、一のチューナで受信した番組の映像をハードディスクに録画し、録画中の映像又は他のチューナで受信した映像を外部の表示装置へ出力するハードディスクレコーダが実用化されている。
また、ハードディスクレコーダは、一の映像の録画に並行して、録画済みの前記一の映像又は他の映像を再生し、再生した映像を外部の表示装置へ出力する機能を有している。
【０００３】
このように構成されるハードディスクレコーダにおいては、一の映像を録画しながら、他の映像を外部の表示装置に表示することができる。
【特許文献１】特開２００１−１６７５１６号公報
【発明の開示】
【発明が解決しようとする課題】
【０００４】
しかしながら、従来のハードディスクレコーダにおいては、一の映像の録画及び視聴中に、ハードディスクレコーダの使用者が出力映像を切り替えて他の映像を一時視聴し、再び録画中の一の映像を視聴する場合、一の映像を続きから視聴することができないという問題があった。
【０００５】
一の映像の録画に並行して録画済みの一の映像を再生する場合であっても、録画された番組映像のリストから一の映像を選択して、再生ボタンを押し、更に出力映像の切替時の映像まで、再生映像を早送り又は巻き戻しする必要があるため、一の映像を続きから視聴するための操作に手間がかかるという問題があった。
【０００６】
また、一の映像の再生及び視聴中に、使用者が出力映像を他の映像に切り替える場合も同様の問題が生ずる。
【０００７】
本発明は、斯かる事情に鑑みてなされたものであり、その目的は、一の映像の録画及び出力中に、出力映像として他の映像の指定を受け付けた場合、一の映像のフレーム画にチャプターマークを付し、再び一の映像の指定を受け付けたとき、チャプターマークが付されたフレーム画から一の映像を再生するように構成することにより、一の映像の録画及び出力中に、使用者が他の映像を一時視聴した場合であっても、出力映像切替前のフレーム画から一の映像を再生することができる記録再生装置を提供することにある。
【０００８】
また、本発明の他の目的は、一の映像の再生及び出力中に、出力映像として他の映像の指定を受け付けた場合、一の映像のフレーム画にチャプターマークを付し、再び一の映像の指定を受け付けたとき、チャプターマークが付されたフレーム画から一の映像を再生するように構成することにより、一の映像の再生及び出力中に、使用者が他の映像を一時視聴した場合であっても、出力映像切替前のフレーム画から一の映像を再生することができる記録再生装置を提供することにある。
【０００９】
更に、本発明の他の目的は、一の映像の録画に並行した該一の映像の再生及び出力中に、出力映像として他の映像の指定を受け付けた場合、一の映像のフレーム画にチャプターマークを付し、再び一の映像の指定を受け付けたとき、チャプターマークが付されたフレーム画から一の映像を再生するように構成することにより、一の映像の録画に並行した該一の映像の再生及び出力中に、使用者が他の映像を一時視聴した場合であっても、出力映像切替前のフレーム画から一の映像を再生することができる記録再生装置を提供することにある。
【００１０】
更にまた、本発明の他の目的は、チャプターマークを付したフレーム画から一の映像が再生された旨を表示するように構成することにより、前記フレーム画から一の映像の再生が開始されたことを報知することができる記録再生装置を提供することにある。
【課題を解決するための手段】
【００１１】
本発明に係る記録再生装置は、時系列のフレーム画からなる複数の映像を並行して取得する取得手段と、該取得手段が取得した映像を記録する記録手段と、該記録手段が記録した映像を再生する再生手段と、該再生手段が再生している映像又は前記取得手段が取得している映像を出力する出力手段と、出力する映像の指定を受け付ける受付手段とを備える記録再生装置において、前記記録手段が一の映像を記録していて、前記出力手段が前記一の映像を出力している場合、前記取得手段が取得している他の映像の指定を前記受付手段が受け付けた時に記録した映像のフレーム画を特定する特定情報を記録する手段を備え、前記再生手段は、前記受付手段が前記一の映像の指定を受け付けた場合、記録された前記特定情報で特定されるフレーム画から前記一の映像を再生する手段を備えることを特徴とする。
【００１２】
本発明にあっては、一の映像の記録及び出力中に、受付手段が出力映像として、他の映像の指定を受け付けた場合、他の映像の出力を開始するときに記録した映像のフレーム画を特定する特定情報が記録される。
そして、他の映像の出力中に、受付手段が一の映像の指定を受け付けた場合、再生手段は、記録された特定情報で特定されるフレーム画から記録済みの一の映像を再生し、出力手段は、再生された一の映像を出力する。
【００１３】
本発明に係る記録再生装置は、時系列のフレーム画からなる映像を取得する取得手段と、該取得手段が取得した映像を記録する記録手段と、該記録手段が記録した映像を再生する再生手段と、該再生手段が再生している映像又は前記取得手段が取得している映像のいずれかを出力する出力手段と、出力する映像の指定を受け付ける受付手段とを備える記録再生装置において、前記再生手段が再生している映像を前記出力手段が出力している場合、前記受付手段が、前記取得手段が取得している映像の指定を受け付けた時に前記再生手段の再生対象となったフレーム画を特定する特定情報を記録する手段を備え、前記再生手段は、前記再生手段が再生した映像の指定を前記受付手段が受け付けた場合、記録された前記特定情報で特定されるフレーム画から映像を再生する手段を備えることを特徴とする。
【００１４】
本発明にあっては、一の映像の再生及び出力中に、出力映像として、取得手段が取得している他の映像の指定を受付手段が受け付けた場合、他の映像の出力を開始するときに再生している映像のフレーム画を特定する特定情報が記録される。
そして、他の映像の出力中に、受付手段が一の映像の指定を受け付けた場合、再生手段は、記録された特定情報で特定されるフレーム画から一の映像を再生し、出力手段は、再生された一の映像を出力する。
【００１５】
本発明に係る記録再生装置は、時系列のフレーム画からなる複数の映像を並行して取得する取得手段と、該取得手段が取得した一の映像を記録する記録手段と、該記録手段による前記一の映像の記録に並行して、記録済みの前記一の映像を再生する再生手段と、該再生手段が再生している前記一の映像又は前記取得手段が取得している他の映像を出力する出力手段と、出力する映像の指定を受け付ける受付手段と、時刻を計時する計時手段とを備える記録再生装置において、前記記録手段が前記一の映像の記録を開始した時に前記計時手段が計時した時刻と、前記再生手段が前記記録手段による記録に並行して前記一の映像の再生を開始した時に前記計時手段が計時した時刻との時間差を算出する算出手段と、前記再生手段が前記一の映像を再生していて、前記出力手段が前記一の映像を出力している場合、前記受付手段が前記他の映像の指定を受け付けた時に前記計時手段が計時した時刻より、前記算出手段が算出した時間差前の時刻に記録したフレーム画を特定する特定情報を記録する手段とを備え、前記再生手段は、前記受付手段が前記一の映像の指定を受け付けた場合、記録された前記特定情報で特定されるフレーム画から前記一の映像を再生する手段を備えることを特徴とする。
【００１６】
本発明にあっては、記録手段による一の映像の記録中に、記録済みの一の映像を再生する場合、算出手段は、記録手段が一の映像の記録を開始した時刻と、再生手段が一の映像の再生を開始した時刻との時間差を算出する。
そして、再生手段は、前記取得手段が一の映像を取得した時刻より前記時間差遅れで前記一の映像を再生する。再生手段が、記録手段による一の映像の記録に並行して前記一の映像を再生している場合、出力映像として、取得手段が取得している他の映像の指定を受付手段が受け付けたとき、現時刻より前記時間差前の時刻に記録した映像のフレーム画を特定する特定情報が記録される。前記フレーム画は、前記他の映像の指定を受付手段が受け付けたときに前記再生手段が再生している映像のフレーム画である。
次いで、他の映像の出力中に、受付手段が一の映像の指定を受け付けた場合、再生手段は、記録された特定情報で特定されるフレーム画から一の映像を再生し、出力手段は、再生された一の映像を出力する。
【００１７】
本発明に係る記録再生装置は、前記取得手段が、複数のチューナを備えることを特徴とする。
【００１８】
本発明にあっては、複数のチューナ夫々で放送信号を受信して、複数の映像を並行して取得する。
【００１９】
本発明に係る記録再生装置は、前記特定情報で特定されるフレーム画から映像を再生する場合、該フレーム画から映像を再生する旨を表示する手段を備えることを特徴とする。
【００２０】
本発明によれば、受付手段が一の映像の指定を受け付けて、前記再生手段が前記特定情報で特定されるフレーム画から一の映像を再生する場合、該フレーム画から映像が再生されたことを表示する。
【発明の効果】
【００２１】
本発明によれば、一の映像の録画及び出力中に、使用者が他の映像を一時視聴した場合であっても、出力映像切替前の映像のフレーム画から一の映像を再生することができる。
【００２２】
本発明によれば、一の映像の再生及び出力中に、使用者が他の映像を一時視聴した場合であっても、出力映像切替前の映像のフレーム画から一の映像を再生することができる。
【００２３】
本発明によれば、一の映像の録画に並行した該一の映像の再生及び出力中に、使用者が他の映像を一時視聴した場合であっても、出力映像切替前の映像のフレーム画から一の映像を再生することができる。
【００２４】
本発明によれば、前記フレーム画から映像が再生される場合、前記フレーム画から一の映像が再生される旨を表示することができる。
【発明を実施するための最良の形態】
【００２５】
以下、本発明をその実施の形態を示す図面に基づいて詳述する。
【００２６】
（実施の形態１）
図１は、本発明の実施の形態１に係るハードディスクレコーダである。
【００２７】
図中１ａ，１ｂは、アンテナＡで受信したＲＦ信号を増幅し、選択されたチャンネルの信号を検波する第１デジタルチューナ及び第２デジタルチューナであり、第１及び第２デジタルチューナ１ａ，１ｂは、検波した信号をデジタルのデータにＡＤ変換し、ＡＤ変換したデータを夫々第１復調部２ａ及び第２復調部２ｂに与える。検波するチャンネルは、制御部９から与えられる信号によって設定される。
【００２８】
第１及び第２デジタルチューナ１ａ，１ｂから出力されたデータは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式で変調されており、第１及び第２復調部２ａ，２ｂは、前記データを、ＭＰＥＧ２ＴＳ形式のトランスポートストリームに復調し、復調したトランスポートストリームを切替部８に与える。
また、第１復調部２ａは、復調したトランスポートストリームを第１選択部１２ａに与え、第２復調部２ｂは、復調したトランスポートストリームを第２選択部１２ｂに与える。
【００２９】
切替部８は、第１及び第２復調部２ａ，２ｂから与えられた一のトランスポートストリームをデマルチプレクサ３へ出力する。
切替部８は、制御部９から切替信号を受けた場合、他のトランスポートストリームをデマルチプレクサ３に出力する。
【００３０】
トランスポートストリームは、複数のＴＳパケットから構成されていて、複数のＴＳパケットから、ビデオストリーム及び音声ストリームが復元される。
【００３１】
デマルチプレクサ３は、トランスポートストリームから一の番組のビデオストリーム及び音声ストリームに係るＴＳパケットを選択し、選択したＴＳパケットからなるビデオストリーム及び音声ストリームを、夫々ビデオバッファ４ａ及び音声バッファ４ｂに与える。
また、デマルチプレクサ３は、トランスポートストリームに含まれる番組配列情報（ＳＩ：Ｓｅｒｖｉｃｅ  Ｉｎｆｏｒｍａｔｉｏｎ）を選択し、選択した番組配列情報をＥＰＧ（Ｅｌｅｃｔｒｏｎｉｃ  Ｐｒｏｇｒａｍ  Ｇｕｉｄｅ）デコーダ５ｃに与える。番組配列情報は、放送される番組のタイトル、チャンネル、放送開始時刻、及び放送終了時刻、並びに映画、ドラマ等の番組の属するジャンル等の情報を有している。
【００３２】
ＥＰＧデコーダ５ｃは、デマルチプレクサ３から与えられた番組配列情報に基づいて、番組表の画像データを生成し、生成した番組表の画像データをＯＳＤ（Ｏｎ  Ｓｃｒｅｅｎ  Ｄｉｓｐｌａｙ）表示処理部６に与える。ＥＰＧデコーダ５ｃ及びＯＳＤ表示処理部６による番組表のＯＳＤ表示は、制御部９によって制御される。
【００３３】
ビデオバッファ４ａ及び音声バッファ４ｂは、デマルチプレクサ３から与えられたビデオストリーム及び音声ストリームを夫々所定のタイミングでビデオデコーダ５ａ及び音声デコーダ５ｂに出力する。
【００３４】
ビデオデコーダ５ａは、ビデオバッファ４ａから与えらたビデオストリームを、ＭＰＥＧ２形式の圧縮伸張方式に従って復調し、復調したビデオストリームをＯＳＤ表示処理部６に与える。
【００３５】
ＯＳＤ表示処理部６は、ビデオデコーダ５ａから出力されたビデオストリームの映像に、ＥＰＧデコーダ５ｃ又は制御部９から与えられた画像データの映像をＯＳＤ表示させた映像のビデオストリームを生成し、生成したビデオストリームを、所定のタイミングでビデオ信号出力部７ａに与える。
【００３６】
音声デコーダ５ｂは、音声バッファ４ｂから与えられた音声ストリームを、ＭＰＥＧ２ＡＡＣ（Ａｄｖａｎｃｅｄ  Ａｕｄｉｏ  Ｃｏｄｉｎｇ）の圧縮伸張方式に従って復調し、復調した音声ストリームを、所定のタイミングで音声信号出力部７ｂに与える。
【００３７】
ビデオ信号出力部７ａ及び音声信号出力部７ｂは、ＯＳＤ表示処理部６及び音声デコーダ５ｂから与えられたビデオストリーム及び音声ストリームを、アナログのビデオ信号及び音声信号にＤＡ変換し、ＤＡ変換したビデオ信号及び音声信号を外部の図示しない表示装置及びスピーカに出力する。
【００３８】
第１選択部１２ａは、第１復調部２ａから与えられたトランスポートストリームから、選択された番組のＴＳパケットを選択し、選択したＴＳパケットをバッファメモリ１３に与える。
一のチャンネルから得られるトランスポートストリームには、１乃至３番組のＴＳパケットが多重化されており、選択部は、多重化されたＴＳパケットの中から指定された一の番組のＴＳパケットを選択して、バッファメモリ１３に与える。番組の指定は、制御部９が行う。
【００３９】
同様に、第２選択部１２ｂは、第２復調部２ｂから与えられたトランスポートストリームから、選択された他の番組のＴＳパケットを選択し、選択したＴＳパケットをバッファメモリ１３に与える。
【００４０】
バッファメモリ１３は、第１及び第２選択部１２ａ，１２ｂで選択されたＴＳパケットを夫々記憶し、順次記録再生部１４に与える。
【００４１】
記録再生部１４は、制御部９から与えられる信号に応じて、バッファメモリ１３から与えられたＴＳパケットを所定のデータ形式に変調し、変調したデータをハードディスク１５に記録する。また、記録再生部１４は、ハードディスク１５に記録されたデータを再生し、再生したデータをＴＳパケットのデータに復調し、バッファメモリ１３を介してデマルチプレクサ３に与える。
切替部８は、制御部９から切替信号を受けた場合、記録再生部１４が再生したストリームデータをデマルチプレクサ３に出力する。
【００４２】
制御部９には、液晶パネルからなる表示部１０、タイマー機能を有する時計部１１が設けられている。
【００４３】
また、制御部９には、録画の予約に関する情報を管理する予約管理部１８が設けられている。
予約管理部１８は、録画する番組のチャンネル、番組の記録開始日時、記録終了日時、番組を受信するチューナの別を録画予約情報として記憶し、時計部１１が番組の記録開始日時を計時したとき、記録開始の信号を制御部９に与える。同様に、時計部１１が番組の記録終了日時を計時したとき、記録終了の信号を制御部９に与える。
制御部９は、予約管理部１８から記録開始及び記録終了の信号が出力された場合、予約管理部１８が管理している録画予約情報に基づいて、記録を開始及び停止する。
【００４４】
更に、制御部９には、フォトダイオードからなり、遠隔操作装置１７から送信される赤外光の信号を受信する受信部１６が設けられている。
【００４５】
図２は、遠隔操作装置１７のブロック図である。遠隔操作装置１７は、略直方体の筐体を備え、番組表ボタン１７ｂ、十字キー１７ｃ、決定ボタン１７ｄ、キャンセルボタン１７ｅ、出力する映像を選択する映像選択ボタン１７ｆ、タイトル表示ボタン１７ｇ、再生ボタン１７ｈ、録画ボタン１７ｉ、停止ボタン１７ｊ等が筐体の正面に配設されている。筐体の前面側には、各ボタンが操作された場合、操作されたボタンの信号を赤外光で送信する発光ダイオードを備えた送信部１７ａが設けられている。映像選択ボタン１７ｆは、１乃至１２チャンネルのボタン、再生映像の選択ボタンを有している。
【００４６】
遠隔操作装置１７の再生ボタン１７ｈが操作され、再生ボタン１７ｈの信号を受信した場合、制御部９は、記録再生部１４によるストリームデータの再生を制御する。そして、制御部９は、再生されたストリームデータをビデオデコーダ５ａ及び音声デコーダ５ｂにて復調させる。ストリームデータの再生を開始した場合、制御部９は、再生中であることを示す情報を記憶する。
また、遠隔操作装置１７の録画ボタン１７ｉが操作され、録画ボタン１７ｉの信号を受信した場合、又は記録開始の信号を受けた場合、制御部９は、選択された番組のストリームデータを記録再生部１４に記録させる。ストリームデータの記録を開始した場合、制御部９は、記録中であることを示す情報を記憶する。
【００４７】
図３及び図４は、出力映像の切り替えに係る制御部９の処理手順を示すフローチャートである。
【００４８】
映像選択ボタン１７ｆの信号を受信した場合、制御部９は、ハードディスク１５に記録された映像のストリームデータを記録再生部１４が再生しているか否かを判定する（ステップＳ１）。記録再生部１４の記録又は再生状態は、制御部９が記憶している。
【００４９】
ストリームデータを再生していると判定した場合（ステップＳ１：ＹＥＳ）、制御部９は、再生したストリームデータのビデオ信号及び音声信号を出力しているか否かを判定する（ステップＳ２）。つまり、制御部９は、再生されたストリームデータを切替部８がデマルチプレクサ３に与えているか否かを判定する。
【００５０】
再生したストリームデータのビデオ信号及び音声信号を出力していると判定した場合（ステップＳ２：ＹＥＳ）、制御部９は、再生中のフレーム画を特定する特定情報を記録再生部１４に記録させる（ステップＳ３）。具体的には、再生している映像のフレーム画を指定するＰＧＣＩ（Ｐｒｏｇｒａｍ  Ｃｈａｉｎ  Ｉｎｆｏｍａｔｉｏｎ）を記録再生部１４に記録させる。なお、判定時にちょうど再生されているフレーム画のみならず、前記フレーム画の前後のフレーム画を、再生中のフレーム画として特定する特定情報を記録するように構成しても良い。
ＰＧＣＩは、ハードディスク１５に記録されたストリームデータの再生開始箇所、再生順序等を含む情報であり、制御部９は、ＰＧＣＩに基づいて、ストリームデータのビデオストリーム及び音声ストリームを所定順序で再生及び復調する。
【００５１】
再生したストリームデータのビデオ信号及び音声信号を出力していないと判定した場合（ステップＳ２：ＮＯ）、制御部９は、映像選択ボタン１７ｆの信号に基づいて、出力映像として、再生対象の映像が選択されたか否かを判定する（ステップＳ５）。
【００５２】
再生対象の映像が選択されていないと判定した場合（ステップＳ５：ＮＯ）、又はステップＳ３の処理を終えた場合、制御部９は、映像選択ボタン１７ｆの信号に基づいて、選択された映像のチャンネルを指定する信号を第１チューナ又は第２チューナに与え、切替部８の切り替えを制御することで、選択されたチャンネルの映像のビデオ信号及び音声信号を出力させて（ステップＳ４）、処理を終える。
【００５３】
再生対象の映像が選択されていると判定した場合（ステップＳ５：ＹＥＳ）、制御部９は、記録再生部１４にＰＧＣＩを読み出させ、ハードディスク１５に記録された前記映像のフレーム画を特定する特定情報が記録されているか否かを判定する（ステップＳ６）。
【００５４】
特定情報が記録されていると判定した場合（ステップＳ６：ＹＥＳ）、制御部９は、特定情報で特定されるフレーム画から、前記映像を記録再生部１４に再生させる（ステップＳ７）。
【００５５】
次いで、制御部９は、前記特定情報で特定されるフレーム画から再生を開始する旨を示す画像データをＯＳＤ表示処理部６に与え、前記フレーム画から再生する旨をＯＳＤ表示させる（ステップＳ８）。
【００５６】
ステップＳ８の処理を終えた場合、又は特定情報が記録されていないと判定した場合（ステップＳ６：ＮＯ）、制御部９は、切替部８の切り替えを制御して、再生されたストリームデータをデマルチプレクサ３へ出力させ、再生された映像、即ち前記ストリームデータのビデオ信号及び音声信号を出力させ（ステップＳ９）、処理を終える。
【００５７】
ステップＳ１において、ストリームデータを再生していないと判定した場合（ステップＳ１：ＮＯ）、制御部９は、ストリームデータを記録再生部１４が記録しているか否かを判定する（ステップＳ１０）。
【００５８】
ストリームデータを記録していると判定した場合（ステップＳ１０：ＹＥＳ）、制御部９は、記録している映像、即ち記録しているストリームデータのビデオ信号及び音声信号を出力しているか否かを判定する（ステップＳ１１）。
制御部９は、第１又は第２選択部１２ａ，１２ｂで選択され、記録再生部１４にて記録されているストリームデータ、及び切替部８がデマルチプレクサ３へ出力しているストリームデータを特定して、記録中のストリームデータのビデオ信号及び音声信号が出力されているか否かを判定する。
【００５９】
記録しているストリームデータのビデオ信号及び音声信号を出力していると判定した場合（ステップＳ１１：ＹＥＳ）、制御部９は、記録中のフレーム画を特定する特定情報を記録再生部１４に記録させる（ステップＳ１２）。
【００６０】
記録しているストリームデータのビデオ信号及び音声信号を出力していないと判定した場合（ステップＳ１１：ＮＯ）、制御部９は、映像選択ボタン１７ｆの信号に基づいて、記録対象の映像が選択されたか否かを判定する（ステップＳ１４）。
【００６１】
記録対象の映像が選択されていると判定した場合（ステップＳ１４：ＹＥＳ）、制御部９は、記録再生部１４にＰＧＣＩを読み出させ、ハードディスク１５に記録された前記映像のフレーム画を特定する特定情報が記録されているか否かを判定する（ステップＳ１５）。
【００６２】
特定情報が記録されていないと判定した場合（ステップＳ１５：ＮＯ）、ステップＳ１４で記録対象の映像が選択されていないと判定した場合（ステップＳ１４：ＮＯ）、ステップＳ１０でストリームデータを記録していないと判定した場合（ステップＳ１０：ＮＯ）、又はステップＳ１２の処理を終えた場合、制御部９は、映像選択ボタン１７ｆの信号に基づいて、選択された映像のチャンネルを指定する信号を第１チューナ又は第２チューナに与え、切替部８の切り替えを制御することで、選択されたチャンネルの映像、即ち選択されたチャンネルのビデオ信号及び音声信号を出力させ（ステップＳ１３）、処理を終える。
【００６３】
特定情報が記録されていると判定した場合（ステップＳ１５：ＹＥＳ）、前記特定情報で特定されるフレーム画から、ストリームデータを記録再生部１４に再生させる（ステップＳ１６）。
【００６４】
次いで、制御部９は、前記特定情報で特定されるフレーム画から再生を開始する旨を示す画像データをＯＳＤ表示処理部６に与え、前記フレーム画から再生を開始する旨をＯＳＤ表示させる（ステップＳ１７）。
【００６５】
ステップＳ１７の処理を終えた場合、制御部９は、切替部８の切り替えを制御して、再生されたストリームデータをデマルチプレクサ３へ出力させ、前記ストリームデータのビデオ信号及び音声信号を出力させ（ステップＳ１８）、処理を終える。
【００６６】
このように構成されるハードディスクレコーダの動作を説明する。
図５は、一の映像の記録中に他の映像を外部出力する場合に、記録、再生及び出力される映像の変化を示すタイミングチャートである。
【００６７】
図５に示すように、映像Ａ（ｔ）のストリームデータが記録及び出力されていて、時刻ｔ１に出力映像として映像Ｂ（ｔ）が選択された場合、時刻ｔ１での映像Ａ（ｔ１）、つまりフレーム画を特定する特定情報、いわゆるチャプターマークを記録再生部１４は記録する。そして、映像Ｂ（ｔ）のストリームデータが出力される。但し、映像Ａ（ｔ）、及び映像Ｂ（ｔ）は、時刻ｔでの映像を示している。
【００６８】
次いで、時刻ｔ２に再び、映像Ａ（ｔ）が選択された場合、記録再生部１４は、特定情報で特定される映像Ａ（ｔ１）から映像を再生する。つまり、映像Ａ（ｔ−Δｔ１２）を再生する。Δｔ１２は、映像Ｂ（ｔ）が出力されていた時間（ｔ２−ｔ１）であり、映像Ａ（ｔ−Δｔ１２）は、現時刻ｔよりも時間Δｔ１２前の時刻に記録された映像である。
【００６９】
従って、使用者が映像Ａ（ｔ）の視聴中に、他の映像Ｂ（ｔ）を視聴した場合であっても、映像切替時刻ｔ１の映像の続きから映像Ａ（ｔ）を視聴することができる。
【００７０】
図６は、一の映像の録画及び再生中に他の映像を外部出力する場合に、記録、再生及び出力される映像の変化を示すタイミングチャートである。
【００７１】
図６は、映像Ａ（ｔ）のストリームデータが記録されていて、時刻ｔ３に記録対象の映像Ａ（ｔ）の再生を開始した状態を示している。つまり、映像Ａ（ｔ）の記録を開始してから映像Ａ（ｔ）の再生を開始するまでの時間差をｓとした場合、現時刻ｔよりも時間差ｓ前に記録された映像Ａ（ｔ−ｓ）が再生される。そして、再生された映像Ａ（ｔ−ｓ）のストリームデータが出力される。
この場合、視聴者は、映像Ａ（ｔ）の記録に並行して、記録済みの映像Ａ（ｔ−ｓ）を再生して視聴することができる。
【００７２】
そして、時刻ｔ４に出力映像として映像Ｂ（ｔ）が選択された場合、記録再生部１４は、時刻ｔ４に再生している映像Ａ（ｔ４−ｓ）を特定する特定情報を記録する。つまり、記録再生部１４は、時刻ｔ４より時間差ｓ前に記録した影像Ａ（ｔ４−ｓ）を特定する特定情報を記録する。
【００７３】
次いで、時刻ｔ５に再び、映像Ａ（ｔ）が選択された場合、記録再生部１４は、特定情報で特定される映像Ａ（ｔ４−ｓ）から映像を再生する。つまり、時刻（ｔ５−ｓ）より更に映像Ｂ（ｔ）の視聴時間のΔ４５＝（ｔ５−ｔ４）前の時刻に記録された映像Ａ（ｔ−ｓ−Δ４５）を再生する。
【００７４】
従って、使用者が映像Ａ（ｔ）の記録及び再生中に、他の映像Ｂ（ｔ）を視聴した場合であっても、映像切替時刻ｔ４の映像の続きから映像Ａ（ｔ）を視聴することができる。
【００７５】
図７は、一の映像の再生中に他の映像を外部出力する場合に、再生及び出力される映像の変化を示すタイミングチャートである。
【００７６】
図７に示すように、映像Ａ（ｔ−ｃ）のストリームデータが再生及び出力されていて、時刻ｔ６に出力映像として映像Ｂ（ｔ）が選択された場合、時刻ｔ６での映像Ａ（ｔ６−ｃ）、つまりフレーム画を特定する特定情報を記録再生部１４は記録する。但し、ｃは、再生対象の映像Ａ（ｔ）が記録された時刻と、現時刻ｔとの時間差である。そして、映像Ｂ（ｔ）のストリームデータが出力される。
【００７７】
次いで、時刻ｔ７に再び、映像Ａ（ｔ）が選択された場合、記録再生部１４は、特定情報で特定される映像Ａ（ｔ６−ｃ）から映像を再生する。つまり、映像Ａ（ｔ−ｃ−Δｔ６７）を再生する。Δｔ６７は、ｔ７−ｔ６であり、映像Ｂ（ｔ）を視聴していた時間である。
【００７８】
従って、再生した映像Ａ（ｔ）の視聴中に、使用者が他の映像Ｂ（ｔ）を視聴した場合であっても、映像切替時刻ｔ６の映像の続きから映像Ａ（ｔ）を視聴することができる。
【００７９】
実施の形態１に係るハードディスクレコーダにあっては、一の映像の記録及び出力中に、出力映像を他の映像に切り替えた場合であっても、出力映像として、再び一の映像が選択されたとき、出力映像切替前のフレーム画から一の映像を再生することができる。
【００８０】
また、一の映像の再生及び出力中に、出力映像を他の映像に切り替えた場合であっても、出力映像として、再び一の映像が選択されたとき、出力映像切替前のフレーム画から一の映像を再生することができる。
【００８１】
（実施の形態２）
実施の形態２に係るハードディスクレコーダは、実施の形態１と同様の、第１及び第２デジタルチューナ１ａ，１ｂ、記録再生部１４、制御部９等を備えている。
実施の形態２に係るハードディスクレコーダは、実施の形態１と異なる処理手順で特定情報を記録するため、以下特定情報の記録に関する処理手順を説明する。
【００８２】
図８は、実施の形態２における再生開始に係る制御部９の処理手順を示すフローチャートである。
【００８３】
再生ボタン１７ｈの信号を受信した場合、制御部９は、再生対象の映像が記録中の映像であるか否かを判定する（ステップＳ２１）。
より具体的には、タイトル表示ボタン１７ｇの信号を受信した場合、制御部９は、ハードディスク１５に記録され、又は記録中のストリームデータのタイトル名一覧をＯＳＤ表示処理部６にＯＳＤ表示させ、十字キー１７ｃの信号を受信した場合、再生対象のストリームデータを選択するカーソルを移動させる。そして、再生ボタン１７ｈの信号を受信した場合、カーソルで選択されているタイトル名のストリームデータを再生対象であると特定する。そして、特定した再生対象の映像と、記録対象の映像とが同一か否かを判定する。
【００８４】
再生対象の映像が記録中であると判定した場合（ステップＳ２１：ＹＥＳ）、制御部９は、再生及び記録対象の映像の記録が開始された記録開始時刻及び再生開始時刻の時間差を算出し（ステップＳ２２）、算出した時間差を記憶する（ステップＳ２３）。
記録開始時刻は、映像の記録開始時、又は映像の録画予約時に制御部９が記憶する。また、再生開始時刻は、時計部１１が計時している時刻である。
【００８５】
ステップＳ２３の処理を終えた場合、又はステップＳ２１で再生対象の映像が記録中でないと判定した場合（ステップＳ２１：ＮＯ）、制御部９は、映像の再生を記録再生部１４に開始させる（ステップＳ２４）。
【００８６】
図９は、実施の形態２における出力映像の切り替えに係る制御部９の処理手順を示すフローチャートである。
【００８７】
制御部９は、図３に示したステップＳ３の処理に代えて、ステップＳ３１乃至ステップＳ３４の処理を実行する。
【００８８】
図３に示したステップＳ２の処理において、再生したストリームデータのビデオ信号及び音声信号を出力していると判定した場合（ステップＳ２：ＹＥＳ）、制御部９は、記録対象の映像を再生中であるか否かを判定する（ステップＳ３１）。
【００８９】
記録対象の映像を再生中であると判定した場合（ステップＳ３１：ＹＥＳ）、制御部９は、時計部１１が計時している時刻から、ステップＳ２３で記憶した時間差を減算し（ステップＳ３２）、減算して得た時刻に記録再生部１４が記録したフレーム画を特定する特定情報を記録再生部１４に記録させる（ステップＳ３３）。
【００９０】
記録対象の映像を再生していないと判定した場合（ステップＳ３１：ＮＯ）、制御部９は、再生中のフレーム画を特定する特定情報を記録再生部１４に記録させる（ステップＳ３４）。
【００９１】
ステップＳ３３又はステップＳ３４の処理を終えた場合、図３に示したステップＳ４の処理を実行する。
【００９２】
実施の形態２に係るハードディスクレコーダにあっては、実施の形態１と同様にして一の映像の記録に並行した再生及び出力中に、出力映像を他の映像に切り替えた場合であっても、出力映像として再び一の映像が選択されたとき、出力切替前のフレーム画から一の映像を再生することができる。
【００９３】
実施の形態２に係るハードディスクレコーダの他の構成、作用及び効果は、実施の形態１に係るハードディスクレコーダと同様であるため、対応する箇所には同様の符号を付してその詳細な説明を省略する。
【図面の簡単な説明】
【００９４】
【図１】本発明の実施の形態１に係るハードディスクレコーダである。
【図２】遠隔操作装置のブロック図である。
【図３】出力映像の切り替えに係る制御部の処理手順を示すフローチャートである。
【図４】出力映像の切り替えに係る制御部の処理手順を示すフローチャートである。
【図５】一の映像の記録中に他の映像を外部出力する場合に、記録、再生及び出力される映像の変化を示すタイミングチャートである。
【図６】一の映像の録画及び再生中に他の映像を外部出力する場合に、記録、再生及び出力される映像の変化を示すタイミングチャートである。
【図７】一の映像の再生中に他の映像を外部出力する場合に、再生及び出力される映像の変化を示すタイミングチャートである。
【図８】実施の形態２における再生開始に係る制御部の処理手順を示すフローチャートである。
【図９】実施の形態２における出力映像の切り替えに係る制御部の処理手順を示すフローチャートである。
【符号の説明】
【００９５】
１ａ  第１デジタルチューナ
１ｂ  第２デジタルチューナ
２ａ  第１復調部
２ｂ  第２復調部
３  デマルチプレクサ
４ａ  ビデオバッファ
４ｂ  音声バッファ
５ａ  ビデオデコーダ
５ｂ  音声デコーダ
５ｃ  ＥＰＧデコーダ
６  ＯＳＤ表示処理部
７ａ  ビデオ信号出力部
７ｂ  音声信号出力部
８  切替部
９  制御部
１０  表示部
１１  時計部
１２ａ  第１選択部
１２ｂ  第２選択部
１３  バッファメモリ
１４  記録再生部
１５  ハードディスク
１６  受信部
１７  遠隔操作装置
１８  予約管理部
【図１】
2007074157.tif 000003
【図２】
2007074157.tif 000004
【図３】
2007074157.tif 000005
【図４】
2007074157.tif 000006
【図５】
2007074157.tif 000007
【図６】
2007074157.tif 000008
【図７】
2007074157.tif 000009
【図８】
2007074157.tif 000010
【図９】
2007074157.tif 000011